(57)【要約】      （修正有）【課題】小型犬を自動車の助手席に安全にかつ自由度の高い状態で着座させ、窓を通じて車外の景色が見える小型犬用座席を提供する。【解決手段】籠状の座席本体１と、その後上部背後側に配した、自動車の助手席ｓの背もたれｓ１の上部に係止するための二つの弾性係止片２、２と、座席本体１の前端上部に形成した足掛け板台３とで構成する。座席本体１は、下部は底の浅い皿状底部１１に構成し、それより上部を籠状部１２に構成する。皿状底部１１の底部及び籠状部１２の上端を前下がりの傾斜状に構成する。弾性係止片２、２は、籠状部１２の上部途中から直線的に後方に延長する基部と、それらの後端で垂下し、若干該籠状部１２側に湾曲突出する湾曲垂下部２２、２２とで構成する。足掛け板台３は、籠状部１２の上端から前方に向かって延長した板状の台である。全構成要素は弾力性を有する合成樹脂で構成した。【選択図】図５
0003163125.tif 000002
【実用新案登録請求の範囲】
【請求項１】
子犬を含む小型犬を入れて自動車の助手席の背もたれ前面上部に配置する小型犬用座席であって、
籠状の座席本体と、該座席本体の上部背後側に配した、前記自動車の助手席の背もたれ上部に係止するための弾性係止片と、該座席本体の前上端から前方に張り出し状態に配した、該座席本体内に入っている小型犬の前足を掛けるための足掛け板台と、で構成した小型犬用座席。
【請求項２】
前記座席本体の底部を、該座席本体を前記自動車の助手席の背もたれ前面上部に配置した状態で、前下がりになるようにその角度を構成した請求項１の小型犬用座席。
【請求項３】
前記弾性係止片を、前記座席本体の後部両側に配した一対の挟持片で構成し、各挟持片を前記座席本体の背部上端から後方に延びる基部と、該基部の後端から垂下し、その途中が背部側に湾曲する湾曲垂下片とで構成した請求項１又は２の小型犬用座席。
【請求項４】
前記座席本体に、その底部の高さを調節するためにその底部上に配する複数の高さ調整マットを付設した請求項１、２又は３の小型犬用座席。
【考案の詳細な説明】
【技術分野】
【０００１】
本考案は、子犬を含む小型犬を自動車の助手席に安全にかつ窓を通じて車外の景色が見える状態に着座させることができる小型犬用座席に関するものである。
【背景技術】
【０００２】
犬をペットとして飼っている家庭では、自動車で外出する際に飼い犬を同伴させることはしばしばある。その場合に、飼い犬を、後部座席その他の適切な位置にケージを置き、その中に入れて移動するするのが、安全のために適切ではあるが、助手席に乗せて移動したい場合もある。この場合に、飼い犬が中型犬以上であれば、助手席に犬用のシートベルト等を装着させた上で載せることも可能である。しかし、小型犬の場合は、同様に助手席に載せた場合は、車外が見えない等の理由により、飼い犬側に不満があり、不適切な行動をしがちである。そこで、このような場合に、小型犬を、自動車の助手席に適切に位置させてその不満を解消し、安全に着座させることができる手段が望まれる。
【０００３】
このような場合に、飼い犬を、ケージを使わずに自動車に同乗させるための手段に関しては、以下のようないくつかの提案がある。
【０００４】
特許文献１はペット用補助席を提案するものであり、これは、自動車の座席前フロアーに、該座席の座面とほぼ同一の高さの箱状の台を設け、該座席の背もたれの前面と該箱状の台との上に下地用シートカバーを配し、更にその上にこれを覆うペット用カバーを配して両カバーを相互にファスナーで結合したペット用座席である。
【０００５】
従ってこの特許文献１のペット用座席は、主として後部座席にセットするものであり、助手席にセットするのに適するものではない。またこのペット用座席の座面は、自動車の後部座席の座面とほぼ同じ高さであり、小型犬が窓から車外を見ることができる高さでもないし、また犬を安全に保持することのできる手段も全く存在していない。
【０００６】
特許文献２はペットのためのカーシートを提案するものであり、これは、座席及び背もたれを備えたシートと、該背もたれに固着した、先端に留め金具を備えた連結ベルトと、上記シートに設けた、該シートを自動車の車内に固定するシート固定手段と、上記シートの座席に座らせる犬に装着する胴輪又は首輪であって、前記連結ベルトの留め金具に結合し得る接続具をその先端に固設した胴輪又は首輪とで構成したものである。
【０００７】
この特許文献２のペットのカーシートは、背もたれ及び座席を備えたそれを自動車の助手席の上に載せ、これを固定手段で助手席の背もたれに固定することができる。同乗させる犬は、前記胴輪又は首輪をした上で、該カーシートの座席の座面上に載せ、該首輪又は胴輪から延長する接続具を、該カーシートの背もたれに配した連結ベルト先端の留め金具に結合し、座面上に保持するようにする。こうして犬を、自動車の何らかの事情による急加速や急停止等にあっても座席に保持し安全を確保しようとするものである。
【０００８】
この特許文献２のペットのカーシートは、座席の座面を適度な高さに設定すれば、小型犬をその上に載せた場合に、窓から車外を見ることができるようにすることができる。しかし、座席に載せた犬を胴輪又は首輪を介して、その背もたれ上部に固定するものであり、乗車中の犬の自由度が極めて低い。
【０００９】
特許文献３は自動車用ペット補助席を提案するものであり、これは、方形をなし、前部に、その両側縁から中心部側に、座席板の残余部分の幅が自動車の運転席と助手席との間隙より僅かに小さくなる深さを有しかつそれぞれの幅が運転席と助手席のそれぞれの厚みより僅かに大きくかつ奥に行く程狭まるように僅かに傾斜させた切欠部を設けると共に、座席板の残余部分に、座席板の幅方向に移動自在としかつ前記切欠部への張り出し長さを調節可能とした一対の押圧調整板を備えた座席板と、前記座席板の上面に、その周縁を囲うように立設した柵体と、前記座席板の後部下面に垂設した所要の長さを有する脚部とから成るものである。
【００１０】
この特許文献３の自動車用ペット補助席は、座席板の高さを調節することで、その上に載せる犬の目線を窓から車外を見ることのできる高さとすることができるし、犬を比較的自由かつ安全にその中に入れておける利点がある。しかし、この自動車用ペット補助席は、後部が後部座席側にも延びており、そこまで広く占めてしまう問題がある。また構成が簡明とは云えない。
【００１１】
特許文献４は自動車用ペット席を提案するものであり、これは、ペットを収納かつ係留する収納体と、該収納体を着脱自在に固定する載置台と、該載置台を高さ調整して自動車の座席に固定する載置台支持手段とからなる自動車用ペット席であって、
前記載置台支持手段は、前記載置台をほぼ垂直姿勢の収納位置とほぼ水平姿勢の使用位置との間で傾倒自在に軸支する副支持体と、該副支持体を高さ調整自在かつ着脱自在に固定して自動車の座席の座部に下端を接地する主支持体と、該主支持体から自動車の座席の背部に掛け回して前記主支持体を前記背部に緊締する固定ベルトとからなり、
前記副支持体と主支持体とはそれぞれ互いに接面する平坦な対向面を形成し、副支持体に該副支持体の対向面に向けて貫通する貫通穴を該高さ方向に複数設け、主支持体の対向面に前記貫通穴と同間隔でねじ穴を複数設けてなり、主支持体に対して該主支持体の延在方向の位置関係を加減して副支持体をあてがった状態で連通する貫通穴及びネジ穴に副支持体から雄ネジを螺着することにより、主支持体に対して高さ調整した副支持体を該主支持体に固定して成る自動車用ペット席である。
【００１２】
この特許文献４の自動車用ペット席は、自動車の助手席に固定ベルトで固定することが可能であり、犬を収納した収納体を、載置台及び副支持体を介して主支持体に取り付け、かつ主支持体に副支持体を高さ調節自在に取り付けてあることにより、適切な高さに調節することが可能であり、収納体に収納された犬の目線を窓から車外を見ることができる高さにすることもできる。収納体に収納されているので、自動車の走行状態に拘わらず、犬はかなりの高い安全性を確保することもできる。このように特許文献４の自動車用ペット席は優れたものであるが、構造が複雑であり、かなり高価なものと成らざるを得ない。
【先行技術文献】
【特許文献】
【００１３】
【特許文献１】特開２００７−０２２５１２号公報
【特許文献２】特開２００４−０５８９２５号公報
【特許文献３】実用新案登録第３１４５３６９号公報
【特許文献４】特開２００７−００００４９号公報
【考案の概要】
【考案が解決しようとする課題】
【００１４】
本考案は、以上の問題点を解消し、子犬を含む小型犬を自動車の助手席に安全にかつ自由度の高い状態で着座させ、窓を通じて車外の景色が見える位置に保持し得る小型犬用座席を提供することを解決の課題とする。
【課題を解決するための手段】
【００１５】
本考案の１は、子犬を含む小型犬を入れて自動車の助手席の背もたれ前面上部に配置する小型犬用座席であって、
籠状の座席本体と、該座席本体の上部背後側に配した、前記自動車の助手席の背もたれ上部に係止するための弾性係止片と、該座席本体の前上端から前方に張り出し状態に配した、該座席本体内に入っている小型犬の前足を掛けるための足掛け板台と、で構成した小型犬用座席である。
【００１６】
本考案の２は、本考案の１の小型犬用座席において、前記座席本体の底部を、該座席本体を前記自動車の助手席の背もたれ前面上部に配置した状態で、前下がりになるようにその角度を構成したものである。
【００１７】
本考案の３は、本考案の１又は２の小型犬用座席において、前記弾性係止片を、前記座席本体の後部両側に配した一対の挟持片で構成し、各挟持片を前記座席本体の背部上端から後方に延びる基部と、該基部の後端から垂下し、その途中が背部側に湾曲する湾曲垂下片とで構成したものである。
【００１８】
本考案の４は、本考案の１、２又は３の小型犬用座席において、前記座席本体に、その底部の高さを調節するためにその底部上に配する複数の高さ調整マットを付設したものである。
【考案の効果】
【００１９】
本考案の１の小型犬用座席によれば、これを、自動車の助手席の背もたれ上部に、座席本体の後上部に構成した弾性係止片を用いて容易に取り付け可能であり、対象の小型犬をその籠状の座席本体の中に着座させておくことができる。座席本体は籠状であり、小型犬は、その中に入れておくものであるため、自動車の走行状態に拘わらず、比較的安全な状態に保持できる。また上記のように助手席の背もたれ上部に配しておくものであるため、その中に入れられた小型犬の目線は、十分に窓から外部を見ることのできる高さとすることができる。更に該籠状の座席本体の前上部には、張り出し状態に構成した足掛け板台を構成してあるので、該座席本体中に入れられた小型犬は、これに前足を掛けることが可能となり、窓から外部を見るときにも安定した具合の良い状態となる。
【００２０】
本考案の２の小型犬用座席によれば、座席本体の底部が、これを背もたれ上部に取り付けた状態で前下がり状態になるため、これに着座する小型犬は、ほぼ必然的に前向き状態に着座するようになる。その状態の着座が具合が良くなる。
【００２１】
本考案の３の小型犬用座席によれば、自動車の助手席の背もたれに、その上部を挟持片と座席本体後部との間で挟むことで、これを確実に取り付けることができる。また弾力的に取り付けることができるものでもある。
【００２２】
本考案の４の小型犬用座席によれば、座席本体の底部上に、適切な枚数の高さ調整マットを配することにより、小型犬の大きさが種々に異なってもその深さを適切に調節することができる。
【図面の簡単な説明】
【００２３】
【図１】実施例の小型犬用座席の側面図。
【図２】実施例の小型犬用座席の平面図。
【図３】(a)は図２のＡ−Ａ線断面図、(b)は図２のＢ−Ｂ線断面図。
【図４】実施例の小型犬用座席を自動車の助手席の座席の背もたれ上部にセットした状態の側面図。
【図５】自動車の助手席の背もたれ上部にセットした実施例の小型犬用座席に小型犬を着座させた状態の側面図。
【図６】(a)は高さ調整マットの平面図、(b)は側面図。
【考案を実施するための形態】
【００２４】
本考案の実施の形態を、図面を参照しつつ一実施例により詳細に説明する。
この実施例の小型犬用座席は、図１〜図３(a)、(b)に示すように、籠状の座席本体１と、該座席本体１の上部背後側に配した、自動車の助手席ｓの背もたれｓ１の上部に係止するための二つの弾性係止片２、２と、該座席本体１の前端上部に形成した足掛け板台３とで構成したものである。
【００２５】
前記座席本体１は、図１〜図３(a)、(b)に示すように、文字通り籠状の容器であるが、子犬を含む小型犬がｄその中で落ち着いて入っていることができるように、その底部は隙間のない完全に閉じた状態が好ましい。この実施例では、底部は、底の浅い皿状底部１１に構成し、それより上部を籠状部１２に構成した。なお、該皿状底部１１及び籠状部１２は弾力性を有する合成樹脂により一体に構成する。
【００２６】
また該座席本体１のサイズは、子犬を含む小型犬ｄを入れることが可能な適当な大きさとする。形状は、平面から見て円形、楕円形又は四角形等、若しくはそれらを適当に変形させた形状を自由に採用することができる。この実施例では、図２に示すように、平面視でほぼ長方形となる形状に構成した。
【００２７】
更に該座席本体１は、特に図１及び図３(a)、(b)に示すように、その皿状底部１１の底部及び籠状部１２の上端を前下がりの傾斜状に構成する。該皿状底部１１の底部及び籠状部１２の上端の傾斜はほぼ同一の角度とする。この傾斜角度は水平との間の角度で１〜３度程度とするのが適当である。該座席本体１の底部を前下がり傾斜状にし、同様にその上端を前下がり傾斜状にする趣旨であり、これは、該座席本体１中に入れた小型犬ｄを概ね前向きにさせるためである。
【００２８】
前記弾性係止片２、２は、図１〜図３(a)、(b)に示すように、この実施例では、前記座席本体１の背後側に突設形成した一対の挟持片で構成したものである。通常このように一対（二本）で充分であるが、四本程度までは採用可能である。この実施例では、図１及び図３(a)、(b)に示すように、籠状部１２の上部途中から直線的に後方に延長する基部２１、２１と、それらの後端で垂下し、若干該籠状部１２側に湾曲突出する湾曲垂下片２２、２２とで構成したものである。従って、該湾曲垂下片２２、２２の途中は、以上のように、籠状部１２側を向いた湾曲状突出部２２ａになっている。
【００２９】
なお、該弾性係止片２、２の湾曲垂下片２２と籠状部１２の後部との間は、図４及び図５に示すように、これらで、自動車の助手席ｓの背もたれｓ１を挟持するのに適当な間隔とする。この背もたれｓ１の厚さは全て同一であるわけではないので、この小型犬用座席は、該弾性係止片２、２の湾曲垂下片２２、２２と籠状部１２の後部との間の間隔の異なる複数種を作成しておき、所有する又は使用対象である自動車に応じていずれかを選択できるようにしておくのが適当である。
【００３０】
また該弾性係止片２、２は、その名のとおり弾力性を有するべきものであり、この実施例では、前記座席本体１と一体にそれを構成した弾力性を有する合成樹脂によって構成したものである。
【００３１】
前記足掛け板台３は、図１〜図３(a)、(b)に示すように、前記籠状部１２の上端から前方に向かって延長した板状の台である。従って該籠状部１２の上端と同一の角度の下向き傾斜状態で前方に延長したものである。この足掛け板台３も座席本体１と同一材質の合成樹脂で一体に構成したものである。なお、籠状部１２の上端は、全周に亘って、該足掛け板台３から連続して僅かに周囲に張り出す鍔体１２１を有している。
【００３２】
また以上の小型犬用座席には、前記座席本体１の底部、すなわち、前記皿状底部１１の底部の高さを調節するためにその底部上に配する複数の高さ調整マット４、４…を付設してある。この高さ調整マット４、４…は、該座席本体１中に入れる小型犬ｄが小さい場合には、その中に入れた場合に、前足を前記足掛け板台３上に載せることができない場合がある。このような場合に、該座席本体１の底を浅くする趣旨である。この実施例では、この高さ調整マット４、４…は、合成樹脂により、図６(a)、(b)に示すように、平面視で、前記皿状底部１１の底部と同一形状で、若干小さなサイズの板状に構成したものである。発泡させて軽量に構成したものでもある。
【００３３】
従ってこの実施例の小型犬用座席によれば、これを、図４に示すように、自動車の助手席ｓの背もたれｓ１の上部にセットし、その座席本体１中に、図５に示すように、小型犬ｄを入れておくことができる。
【００３４】
該座席本体１は、その背後側の弾性係止片２、２を利用して、図４及び図５に示すように、その湾曲垂下片２２、２２と座席本体１の籠状部１２の後部側との間で、自動車の助手席ｓの背もたれｓ１の上部を挟持状態にすることにより、該背もたれｓ１の上部前側にセット状態とする。これは、単に座席本体１を持ち上げて、該背もたれｓ１の上部と、該籠状部１２の後部及び湾曲垂下片２２、２２の間の部分とを上下対応させた上で、該座席本体１を下降させるのみでできる。
【００３５】
こうして、座席本体１を助手席sの背もたれs１の上部にセットした上で、その中に対象の小型犬ｄを入れる。この時、小型犬ｄが、この座席本体１の深さでは深すぎる場合は、図５に示すように、該座席本体１の皿状底部１１の底部上に予め高さ調整マット４を敷設しておくものとする。この実施例では、図５に示すように、三枚の高さ調整マット４、４…を敷設して高さを適切に調節した。
【００３６】
以上のように高さを調節した上で、対象の小型犬ｄを該座席本体１中に入れ、着座させる。該小型犬ｄは、通常、周囲を見回したいので、このとき、図５に示すように、自ずと、前足を前記足掛け板台３上に載せることになる。これは、皿状底部１１の底部、籠状部１２の上端及び該足掛け板台３がいずれも前下がりの傾斜状態なので、一層そのような向きに着座し、前足を足掛け板台３上に載せた状態になる。以上の要素の前下がり傾斜は以上のようなな姿勢を誘導するものである。
【００３７】
小型犬ｄは、このように、座席本体１中に着座し、これによって保護された状態になるので、自動車の走行中でも安全な状態を保持できる。また以上のように、座席本体１は、助手席ｓの背もたれｓ１の上部にセットしてあるので、その中の小型犬ｄの目線は、十分に窓から外部を見ることのできる高さなっている。又この時の小型犬ｄの前足は、前記のように、足掛け板台３の上に載っているので、安定した状態を保持しつつ、窓から外部を見ることが可能となっている。
【産業上の利用可能性】
【００３８】
本考案の小型犬用座席は、合成樹脂製品の製造分野で有効に利用できるし、ペット用品の販売分野でも利用できる。
【符号の説明】
【００３９】
１    座席本体
１１  皿状底部
１２  籠状部
１２１  鍔体
２    弾性係止片
２１  基部
２２  湾曲垂下片
２２ａ  湾曲状突出部
３    足掛け板台
４    高さ調整マット
ｓ    助手席
ｓ１  背もたれ
ｄ    小型犬
【図１】
0003163125.tif 000003
【図２】
0003163125.tif 000004
【図３】
0003163125.tif 000005
【図４】
0003163125.tif 000006
【図５】
0003163125.tif 000007
【図６】
0003163125.tif 000008